(57)【要約】【課題】町内の公園とか広場などの近場を選んで簡単に避難場所を提供できるようにした津波などに対する避難用施設物並びにその築造方法を提供すること。【解決手段】少なくとも津波が襲来してくる側において対抗状をなすように防護壁を立設し、この防護壁の後側に高い避難場所を造り、その避難場所に登る登降手段を配すようにする。【選択図】図１
2007297909.tif 000002
【特許請求の範囲】
【請求項１】
少なくとも津波が襲来してくる側において対抗状をなすように防護壁を立設し、この防護壁の後側に高い避難場所を造り、その避難場所に登る登降手段を配すようにする津波などに対する避難用施設の築造方法。
【請求項２】
請求項１記載のものにおいて、防護壁として、鋼矢板、鋼管矢板、鋼管杭あるいは木材などの土木・建設用等の長尺資材や矩形板などの複数を使用して外周を形成するようにする津波などに対する避難用施設の築造方法。
【請求項３】
請求項１記載のものにおいて、防護壁を上からみて丸形・角形等のラセン状に形成し、そのラセンの外周端に相当して登降口を形成するとともに、同登降口からラセンの求心方向に向けて登るように登降手段を設け、その登降手段の末端であるラセンの中央部分に避難場所を設けてなる津波などに対する避難用施設の築造方法。
【請求項４】
少なくとも津波が襲来してくる側において対抗状をなすように立設された防護壁と、この防護壁の後側に高く設けられた避難場所と、その避難場所に登る登降手段とを備えてなる津波などに対する避難用施設。
【請求項５】
請求項４記載のものにおいて、防護壁として、鋼矢板、鋼管矢板、鋼管杭あるいは木材などの土木・建設用等の長尺資材や矩形板などの複数が使用されて外周が形成されている津波などに対する避難用施設。
【請求項６】
請求項４または５記載のものにおいて、防護壁は、上からみて丸形・角形等のラセン状に形成され、そのラセンの外周端に相当して登降口が形成されるとともに、同登降口からラセンの求心方向に向けて登るように登降手段が設けられ、その登降手段の末端であるラセンの中央部分には、避難場所が設定されている津波などに対する避難用施設。
【請求項７】
請求項４から６までのいずれかに記載のものにおいて、防護壁の上部内を含む上側には、上避難場所が設けられており、同避難場所には避難場所からの登降手段が接続されている津波などに対する避難用施設。
【請求項８】
請求項４ないし７までのいずれかに記載のものにおいて、避難場所および／または登降手段の内部空間には、水備蓄タンクが構成されている津波などに対する避難用施設。
【発明の詳細な説明】
【技術分野】
【０００１】  本発明は、津波などに対する避難用施設並びにその築造方法に関する。
【背景技術】
【０００２】  津波が発生し襲来する危険を知った場合には近くの小高い場所に急いで避難すべきことが古来からの習わしとなっている。
【発明が解決しようとする課題】
【０００３】  しかし、こうした近くの小高い場所は、どこにでもあるものでなく、時にして遠い場合もある。また、身体の不自由な人にとっては、小高い場所が自宅から近くとも実質的には非常に遠いものとなり、結果的に津波の襲来を受けたりすることが多々あった。
上記に鑑み、本発明は、町内の公園とか広場などの近場を選んで簡単に避難場所を提供できるようにした津波などに対する避難用施設並びにその築造方法を提供することを目的とする。
【課題を解決するための手段】
【０００４】  上記課題を解決するため、請求項１記載の発明は、少なくとも津波が襲来してくる側において対抗状をなすように防護壁を立設し、この防護壁の後側に高い避難場所を造り、その避難場所に登る登降手段を配すようにする。
請求項２記載の発明は、請求項１記載のものにおいて、防護壁として、鋼矢板、鋼管矢板、鋼管杭あるいは木材などの土木・建設用等の長尺資材や矩形板などの複数を使用して外周を形成するようにする。
請求項３記載の発明は、請求項１記載のものにおいて、防護壁を上からみて丸形・角形等のラセン状に形成し、そのラセンの外周端に相当して登降口を形成するとともに、同登降口からラセンの求心方向に向けて登るように登降手段を設け、その登降手段の末端であるラセンの中央部分に避難場所を設けてなる。
請求項４記載の発明は、少なくとも津波が襲来してくる側において対抗状をなすように立設された防護壁と、この防護壁の後側に高く設けられた避難場所と、その避難場所に登る登降手段とを備えてなる。
請求項５記載の発明は、請求項４記載のものにおいて、防護壁として、鋼矢板、鋼管矢板、鋼管杭あるいは木材などの土木・建設用等の長尺資材や矩形板などの複数が使用されて外周が形成されている。
請求項６記載の発明は、請求項４または５記載のものにおいて、防護壁は、上からみて丸形・角形等のラセン状に形成され、そのラセンの外周端に相当して登降口が形成されるとともに、同登降口からラセンの求心方向に向けて登るように登降手段が設けられ、その登降手段の末端であるラセンの中央部分には、避難場所が設定されている。
請求項７記載の発明は、請求項１から６までのいずれかに記載のものにおいて、防護壁の上部内を含む上側には、上避難場所が設けられており、同避難場所には避難場所からの登降手段が接続されている。
請求項８記載の発明は、請求項４ないし７までのいずれかに記載のものにおいて、避難場所および／または登降手段の内部空間には、水備蓄タンクが構成されている。
【発明の効果】
【０００５】  本発明によれば、町内の公園とか広場などの近場を選んで簡単な施工によって安全な避難場所を提供することができる。
【発明を実施するための最良の形態・実施例】
【０００６】  以下、本発明を各実施形態によって詳細に説明するが、各実施形態で説明する内容は、他の実施形態にも同様に適用があるものである。
図１ないし図４は、本発明に係る津波（あるいは洪水）に対する避難用施設についての一実施形態を示す。
同実施形態の避難用施設は、海の沿岸一帯やそれより離れた公園・広場・校庭などの地盤２０２上に構成されたもので、設置数は図示では単一基としてあるが複数基のものを適宜に離間（近接も含む）して配備してもよい。
【０００７】  同実施形態は、長尺資材である鋼矢板２００…の多数本を連続して打設することにより平面丸形ラセン状（図１参照）の避難用施設本体である防護壁（スパイラルタワーあるいはスパイラルシェルター、ラセンタワー、ラセンシェルターなどを称することもある）２０１を築造したものである。この築造の地盤２０２は、町内や村内の公園や校庭、その他の使用されてない広場や休耕地などいずれを利用したものでもよい。
【０００８】  鋼矢板２００は、図１の右欄の斜視図に示すように、一般にＵ形と称するもので、一対の斜めのフランジａと平坦なウエッブｂおよび両脇の掛溝条ｃからなるもので、ここでは長尺資材と呼ぶこととする。同鋼矢板２００は４００ｍｍ幅と６００ｍｍ幅とがあるが、ここでは広い６００ｍｍ幅のものを溝が内外交互に向くようにして掛溝条ｃ…同士を掛合して打設するものとする。
【０００９】  これら鋼矢板２００…は、図２の右下欄に一端斜視図を示すように、図１のラセン全体に適合するような導梁２０３を設置予定地盤２０２上に敷設して打設するもので、導梁２０３は、図示の溝形鋼やＨ形鋼などの内外離間した２条の曲がり梁からなり、これらを導梁２０３を目的とするラセンラインを規定するように調整して縦向きの導杭や導梁２０３と鋼矢板２００間に嵌め込まれるスペーサ（図示省略）などを適宜使用して上からの鋼矢板２００をぶれなく正確に誘導するものとされる。導杭やスペーサなどは使用しないこともある。以下ではこうした誘導方式は簡略化のため説明を省略する。
【００１０】  鋼矢板２００…はこの実施形態では略２周強ラセン状をなすように打設される。ここで、打設とは、バイブロハンマー工法、圧入工法その他の工法によるものを主なるものとするが、地盤にラセン溝を掘り下げたり、ラセン全体を含む穴を掘削して鋼矢板２００の下部を埋め込み固定する工法によることもある。これら溝や穴を掘った状態で鋼矢板２００を圧入などにより打ち込むこともある。
【００１１】  図示では、圧入工法によって導梁２０３に誘導されながら鋼矢板２００を配列固定する場合を例示している。こうして築造された防護壁２０１は、その外面側および／または内面側から掛溝条ｃ同士を直接溶接したり付加板を当てて溶接や止着をすることで防護壁２０１の保形力を持たせるようにすることができる。また、防護壁２０１の上部に梁を装架して拡開しないように補強することもできる。さらに、防護壁２０１の外周をワイヤ巻きして引っ張ることで拡開を防止することもできる。これらの組み合わせで補強することもできる。
【００１２】  図示防護壁２０１は、高さ１０ｍ、最大直径１５ｍ前後に築造してラセン溝空間の幅を約２〜３ｍにするとともに外周端には登降口２０５を形成してある。この登降口２０５は、図１のように、津波の直接の襲来を受けないように津波襲来想定方向Ｘに対し後背側に開口してあるようにされている。登降口２０５から防護壁２０１内に向かうように登降手段であるスロープ（あるいは仮想線のような階段）２０６が緩い登り傾斜でもって１周強回るようにして形成されている。このスロープ２０６は、図４に示すように、土砂２０７で作る場合は、両脇に砂利２０８を配して安定化を図る上で好ましいが、コンクリート投入によりスロープ２０６を形成したり、あるいは仮想線のように階段２０９により登降手段を形成することもできる。下層が土砂基盤で上層がコンクリートの場合もある。また、図５に示すように、登降手段の構造としては、階段２０９とスロープ２０６とを左右に併設することもある。左右いずれが階段２０９でスロープ２０６であってもよい。この場合、スロープ２０６を外周寄りにすると角度を緩くとることができて登りやすくなる利点がある。尚、図１の●印は上方からみた避難者ｍを示す。前記ラセンの方向は図示とは逆向きにすることもできる。
【００１３】  図１ないし図３の矢印ＵＰ１は登降口２０５からの第１段階としての登り方向を示し、避難者がスロープ２０６を１周強ほど登ると、そこにはラセンの中央部分に相当する避難場所２１０が平坦な面として形成されている。同避難場所２１０は、図２の破線のように地盤２０２から７〜８ｍ程度上がった高いところに設定されている。勿論この高さは津波襲来想定高さに余裕高さを持たせた高さとして高低に設定される。
【００１４】  同避難場所２１０は前記登降手段と同様の各種態様、すなわち、土砂類やコンクリート流し込み、あるいはこれらの組み合わせなどで造成することができる。そして、この避難場所２１０内に１．８〜２ｍ前後の避難ステージを設けて同ステージの上としたである避難場所２１０に併せて避難できるようにしてもよい。この実施形態では、避難場所２１０の内周である防護壁２０１の内周に添って上スロープ（あるいは階段）２１２を設け、その上側の避難ステージ（上避難場所）２１３上に矢印ＵＰ２のように登ることができるようになっている。同避難ステージ２１３は、図１および図３に仮想線の丸形で示すように、鋼板による広いステージ面を備えるとともに外周には安全のための手すり２１４が施されている。そして、ステージ面には上スロープ２１２に通じる登り口が明けられている。避難ステージ２１３および上スロープ２１２は必須なものではない。
【００１５】  この避難ステージ２１３は、防護壁２０１上に直接載置して止着固定してもよく、図１の仮想線のように、防護壁２０１の各鋼矢板２００…に複数の脚柱２１６を固定してその上に同避難ステージ２１３を取付固定するようにしてもよい。この脚柱２１６はその下部を避難場所２１０内の土砂などに埋め込むようにすると一層安定化する。同脚柱２１６は、図１の右欄図に仮想線で示すように、同じ鋼矢板２００を上突出状に連結あるいは溶接して構成することができる。また、防護壁２０１の外部に脚柱２１７を埋め込み立設しておいてその上である防護壁２０１上にくるように避難ステージ２１３を固定設置してもよい。この場合の脚柱２１７は、防護壁２０１の前側に配置されているので、津波襲来時の予備防護手段としても機能する。脚柱２１７の横列間には防護ロープや廃タイヤなどの緩衝手段を付加することができる。
【００１６】  尚、防護壁２０１は、組み合わせ鋼矢板（図示省略）や図１の右下欄のような直線形鋼矢板などで築造することができるし、後述するが、鋼管杭や鋼管矢板、コンクリートパイル、コンクリートパネル、木杭など種々のものを利用して築造することができる。
また、図１の左欄に示すように、登降口２０５を後向きに開いたものにしてもよい。登降口２０５を仮想線のように右方向に振ったさらに拡がる口として形成してもよく、この場合、口が広がるだけでなく前方からの津波の流れを側脇方へ誘導して避難しやすくする利点もある。尚、鋼矢板は内外二重に離間して対向させて配列しその間に充填材、例えば、土砂や砂利、岩塊、コンクリートなどの他、洗浄済みかき殻微細片（粉粒状のものも含む）やホタテ貝殻微細片（同様に粉粒状のものも含む）などを単独にあるいは前記土砂などと混合して充填するようにしてもよい。川底浚渫物・石炭ガラ・下水汚泥焼成物なども含む。
【００１７】  さらに、図１の矢印Ｙは戻り流を示し、これに対し登降口２０５の後方側には図３仮想線のような防護手段２１５を設けることがある。
また、図１に仮想線で示すように、避難場所２１０の内部には支柱２１８を立設してその上に避難ステージを固定するとともに支柱２１８周りにラセン階段２１９を備えて登降できるようにしてもよい。
さらに、図２の右欄に示すように、登降口２０５からの登り経路に対応する鋼矢板２００は、図３のように高くせず後回りであることもあって低目にしてもよい。
【００１８】  また、図２に示すように、避難ステージ２１３上には、扉付きのコンテナ２２０などの非常用倉庫を設置して非常用の食料や飲料、救助用品などを常備するようにしてもよい。
さらに、図３の左上欄に示すように、スロープ２０６の上の空間が空いていることを利用して対面する鋼矢板２００間に扇形の避難ステージ板２２１…を広い面積にわたるように設けて避難場所２１０側から同ステージ板２２１…上に登降できるようにしてもよい。ステージ板２２１は、鋼矢板２００間に挿通される受けバー２２２…により受担されるものにしてもよい。
また、図２に示すように、防護壁２０１の外周、特に前回りの裾部にはコンクリートなどによる制御手段２２３を設けると前方からの津波が円筒形の防護壁２０１とともに後方上昇分散流に制御される利点があるし、防護壁２０１の補強にもなる。同制御手段２２３はより大きな制御手段２２３′にしてもよい。
【００１９】  尚、前記実施形態では鋼矢板２００…を打設したあと内部に土砂などを投入するようにしたが、例えば、人工丘陵を造成したあとに人工丘陵の外周や避難場所外周などに添って鋼矢板２００…を打設し、そのあとで登降手段や避難場所などを図１ないし図５のように造成・整備して完成するように、施工順序を変えてもよい。この場合、鋼矢板２００…をラセンにしたり円筒配置（後述）にしたりすることができる。
【００２０】  図６は他の実施形態を示す。同実施形態は、同じく鋼矢板などによるラセン状防護壁２２７でラセンを２周巻き程度にしてその後部に登降口２２８を設け、それに通じるスロープ（あるいは階段）２２９を登降手段として備えるとともに、中央に平坦な避難用スペース２３０を設定したものであるが、これに上側の避難ステージを設けるか否かは自由である。特に、同図の右欄上に示すように、鋼矢板に代えて丸形鋼管矢板（あるいは鋼管杭）２３１を角度変更自在な継手２３２で連結する方法もあることを例示してある。同鋼管矢板２３１の外周側には木製外装材（丸軸状あるいは板状）２３３を配列して自然らしさを出すようにしてもよく、また一方、鋼管矢板２３１自体を間伐材などを利用した木杭方式にしてもよい。木杭の場合、相互を連結手段で止め付けたり外巻きワイヤで保持するようにしてもよい。図６左上欄のように鋼管（あるいは木杭）２３１間にＨ型鋼２４０や角パイプ、溝型鋼などを交互となるように接合して防護壁を築造してもよい。
【００２１】  同じく右欄中段に示すように、角形鋼管矢板２３５…を継手２３６で連設するようにしてもよい。この場合、右図のように凹凸２３７を備えた角木材２３８で連設することもある。この角木材２３８は、右上欄の鋼管矢板２３１の表側に張ることもできる。
また、右下欄のようにＨ形鋼２４０を継手２４１で連設するようにしてもよい。さらに、このＨ形鋼２４０は左欄図のように鋼矢板２４２と交互に組み合わせてもよく、この場合、相互間はコンクリートやモルタルなどのシール剤２４３で目地止めする。
【００２２】  さらに、図６の左下欄に示すように、Ｘ方向に対し長く幅の方を抑えた楕円を基本とする鋼矢板などによるラセン状防護壁２４５としてもよい。同防護壁２４５は、津波流Ｘからの作用度が少なくて安全度も向上する一方において前後に長いので避難者数も一定に確保できるものである。登降口２４６から避難者が入り込みやすくしかも入る際に前方からの津波流により流されにくいように登降口２４６の一端に防護ガイド２４７を突設してもよい。この方式も他の実施形態に採用することができる。また、防護壁２４５の外周前側両脇には予備ガイド２４８を突設して、津波流がさらに左右に振り分けられて後方の避難者の方へ激しい流れが到達しないようにできるものである。この方式も他の実施形態で採用できる。
【００２３】  図７は他の実施形態を示す。同実施形態は、同じく鋼矢板などによるラセン形をした防護壁２５０であるが、そのラセン巻数を１周半前後に短く簡略化したものである。２５１は登降口、２５２は登降手段であるスロープ、２５３は平坦な避難場所である。破線で示す２５４は蓋付き緩衝パイプで登降手段２５２の内部に埋め込まれて津波流Ｘからの衝撃を自らの弾性変形により吸収する機能をもつとともに例えば、土砂やコンクリート投入量を少なく施工が簡略になる。２５５は他の登降口で、防護壁２５０の後周りの上縁に右下欄のように切欠状（あるいは四角開口状）に形成されたもので、同登降口２５５への登降は、防護壁２５０の外壁面に設けられたステップ２５６…でなされる。尚、左欄のように、幅を狭く前後に長い楕円あるいは長円形をした防護壁２５７にしてもよく、この場合にも防護ガイド２５８を付して安全度を向上させるようにしてもよい。その一方で右上欄のように横長状の防護壁２６０も考えられるし、長軸が津波流Ｘに対し斜め向きの防護壁にしてもよい。
尚、前記では防護壁２６０の全周を鋼矢板などで構築した例を説明したが、防護壁は前回りが津波Ｘの影響をダイレクトに受ける部分であることから、図７の左上欄に示すように、鋼矢板などにより前周部Ｌを構築する一方、それ以外の後周部（内巻き部分を含む）Ｍについては木杭で構築してもよい（このことは他の実施形態でも同様に適用することがある）。後周部Ｍについては図２５に示す組単位ａ…で構築してもよい。防護壁２５０は、仮想線でＱで示すように延長して広い登降口が提供されるようにするとともに登降する人が通過する津波から守られるようにすることができる。
【００２４】  図８は他の実施形態を示す。同実施形態は、ラセンでない同心円型の防護壁（鋼矢板などによる）２６３で、内筒体２６４と外筒体２６５を備え、外筒体２６５の切欠２６６が後向きに、内筒体２６４の切欠２６７が前向きにくるようにして鋼矢板などの打設により同心円状に固定されたものである。そして、後部に左右一対の登降口２６８が形成されるとともに内筒体２６４と外筒体２６５間に左右一対の登降手段であるスロープ（あるいは階段）２６９が形成されている。左右のスロープ２６９を登りきった処は、図の上部で合わさり平坦な中央の避難場所２７０の高さと同レベルになるようにつながっている。この防護壁２６３も縦長式の楕円あるいは長円形状などに変形してもよい。尚、２７１は戻り流の対抗ガードである。
尚、スロープ２６９は土砂・コンクリートなどの投入方式によらず、木・鉄・コンクリート・樹脂などによる張板Ｓ…方式にしてもよい。中央の避難場所２７０も張板ＳＦとしてもよい。また、右図のように、スロープをメッシュＳ１で造ってもよい（このことは他の実施形態でも同様に適用することがある）。内筒体２６４は省略してもよい。
【００２５】  図９は他の実施形態を示す。同実施形態は、半円で同心状の内筒体２７５と外筒体２７６とからなる防護壁（鋼矢板などによる）２７７を示し、２７８は登降口、２７９は登降手段であるスロープ（あるいは階段）、２８０は避難場所である。スロープ２７９は後方から二手に登ることができるもので、内外筒体２７５，２７６間のスロープ２７９を経由して図の上部から高いレベルの避難場所２８０に上がり込むことができるようになっている。尚、前記スロープ２７９は、できるだけ緩い傾斜で登り易くするため図示のように防護壁２７７の後方に張り出しているが、登降口２７８のところから傾斜がはじまるようにしてもよい。また、仮想線のように、スロープ２７９は内筒体２７５の裏側基部から左右に登り直角に曲がって防護壁２７７内のスロープ２７９につながるように構成してもよい。さらに、津波流Ｘの襲来側には、予備防護手段２８１…が複数立設されている。内筒体２７５は省略してもよい。
また、図９に示す防護壁２７７を上下対称的に一対配してその間を通じて登降可能に構成してもよい。津波流Ｘの他に戻り流にも有効に対抗できるものとなる。
【００２６】  図１０および図１１は他の実施形態を示す。同実施形態は、液状対策をしたラセン状防護壁（鋼矢板などによる）２８４を備えるもので、同防護壁２８４には登降口２８５とスロープ２８６および避難場所２８７を備えるものであるが、特に、その外周複数個所からは同防護壁２８４に添って溶接あるいは連結される基部２８８を備え先端の張り出し部２８９が地盤２９０内に埋め込まれた安定板２９１が配備されており、これらの安定板２９１…により液状化現象の際にも防護壁２８４は安定になるものである。この安定板２９１は前向きにも伸びており、その先端からは予備緩衝手段２９２が津波流Ｘに対抗すべく立設されている。尚、避難場所２８７の中央には図１１のように土中から上向きに伸びた液抜きパイプ２９３が挿通固定されており、その基部の通孔２９４を通じて液状化時の水などが抜き去られるようになっている。只、同液は避難場所２８７内に抜き出されることになるため、その対策として、同パイプ２９３を上の避難ステージ２９５上に吹きだすように突き出すか、あるいは途中でエルボ状に形成して防護壁２８４外部に排出できるようにするのが好ましい。前記避難ステージ２９５の方へパイプ２９３を突き出すようにする場合、同時にパイプ２９３により避難ステージ２９５を支えるようにしてもよい。また、その場合、パイプ２９３の外周にラセン階段である第２の登降手段を設けてもよい。尚、前側の安定板２９１については、図１１の仮想線のように、その途中の部分をＬ形でなく斜上部ａを備えてその部分ａが予備緩衝手段を構成するようにしてもよい。図１０の２９６は補強梁である。
【００２７】  図１２は他の実施形態を示す。同実施形態は、鋼矢板などの打設により築造されたラセンあるいは内外同心状の防護壁２９９に登降口３００から登れるスロープ３０１や階段などの登降手段を備えて中央の避難場所３０２に避難できるようにしたものにおいて、他の登降手段として、外階段３０３を前側に斜め姿勢で立て付けて防護壁２９９に別途明けた直登降口３０４を通じて内部の避難場所３０２内に直接避難できるようにしたものである。
【００２８】  前記外階段３０３は、ステップを備えた桁３０５と手すり３０６を備えるものであるが、特別に全体に強度をもたせて襲来する津波流Ｘに抵抗し得るものとされ、そのため、階段基部を地盤３０７内に埋め込むとともに防護壁２９９との間にも受ブラケット３０８を両端固定式で連結して支持させてなるものである。この外階段３０３は、同外階段３０３は、図に仮想線で示すように側周面や後側などいずれにも設置することができる。また、図１２の右欄に斜視図を示すように、丸胴形の防護壁３０９の内部全体を避難用スペース３１０としたものに登降口３１２を形成し、それに外階段３１３を取り付けたものにしてもよい。外階段３０３，３１３は図示のものより幅広形にしてより多くの人が登れるようにしたり、複数本の外階段を同時設置してもよい。外階段を防護壁の後側に設置する場合には、登降口を低くし外階段を傾斜の緩いものにしても津波Ｘや戻り流により影響を受けない。尚、３１４は裾ガードで、土砂やコンクリート、ゴムなどでもよく、津波流Ｘを上向き流に制御し被害をより少なくするために機能する。
【００２９】  図１３は外階段３１７を津波襲来側に設置する場合の津波流処理対策例についてのもので、桁３１８間の踏み板３１９の下側に設けられる蹴込み板３２０に津波流が当ると直撃するのでなく左右に流し分けるようにしたものである。
【００３０】  図１４（側面図）および図１５（平面図）は他の実施形態を示す。同実施形態は、上側に避難ステージ３２２を備え後方に登降口３２３を備えるとともにラセン経路の登降手段３２４を造成してなる防護壁３２５を１つの避難用施設物Ｅとしたものにおいて、その複数基を前側２基で後側１基の配置で多数人の避難を可能としたものをまず示している。
そして、それとは別の提案として、これら複数基の避難ステージ３２２間を避難橋３２６…で相互連絡していずれにも移動できるようにするとともに、さらに、近場の丘や山３２７にも設置した別の避難用施設物Ｅとの間にも避難橋３２６を渡架しておいてより安全な高いところに避難できるようにしたものである。図示のようにさらに連絡することは自由である。津波流Ｘの方向は図１５のいずれを想定してもよいし、避難用施設物Ｅ…は、図示の配置に限定されず、例えば、図１５の上欄のように、前に１基、後に２基のような配置にしたり、図１５の下欄のように、津波流Ｘと平行（あるいは直角）に並ぶ方式にしてもよい。このように相互連結方式にすれば、各避難用施設物Ｅがより強く抵抗するものにもなるだけでなく、橋３２６上の避難場所に利用できさらに山３２７へ順次避難できて各避難用施設物Ｅが順次空きになることから、避難できる絶対数を格段に多くすることができる。尚、こうした避難橋３２６にて相互連絡する避難用施設物Ｅは図示の丸ラセン形以外に他のいずれの避難装置をも採用することができる。
【００３１】  図１６ないし図２１は変形例を示すもので、図１６の実施形態は、上からみて台形をした防護壁３３０をその短い辺が前に向くようにして築造し、その一側あるいは両側に登降手段３３１を設けて中央の高い避難場所３３２上に避難できるようにしたものである。登降手段３３１は仮想線のように装置の巾間中央に配置してもよい。また、前面には津波流Ｘが激しく当ることも考慮して、前方には、津波流Ｘを流し分けるための支柱３３３付き振り分けガイド（Ｖ形）３３４を設置すると解消される。また、津波流Ｘに対し防護壁３３０を少し斜めに振った角度に設置すると津波流Ｘが左右に分けられるし、短い辺を鋼矢板の配列により前方丸凸状にしてもよい。
【００３２】  図１７の実施形態は、鋼矢板などにより基本的に三角形に築造した防護壁３３７を示す。この防護壁３３７は、三角形の内筒体３３８とその外側に添ってＶ字形をなす外壁体３３９とでなる。３４０は登降口、３４１は左右の登降手段（スロープや階段）、３４２は避難場所であり、矢印経路で避難場所３４２に避難することができる。尚、防護壁３３７の前端には、津波流Ｘをより抵抗少なく切り分けるバルバスバウに相当する丸パイプ３４３を設けてもよい。また、外壁体３３９は仮想線のように外向き凸状に湾曲するように築造してもよい。
【００３３】  図１８の実施形態は、基本的に四角形をした防護壁３４６についての例である。この防護壁３４６は、丸形ラセン状の防護壁を全体的に四角にしたもので、登降口３４７と登降手段３４８および四角な避難場所３４９を備えるものである。この避難用施設物は、前方および後方からの津波流の双方に有効に対抗できる形をしており、しかも、市販のＵ形鋼矢板とコーナー鋼矢板とを組み合わせて築造することができる。この実施形態を含めて、他の実施形態では全て避難ステージを構成することができる。
尚、右欄に示すように、四角な防護壁３４６′の中に中防護壁３５０を形成し、その間に左右両ルートから登れる登降手段３５１を備えて構成してもよい。この場合、こうした避難用施設物を仮想線のように寄せ合わせてもよい。Ｘは津波が襲来してくる側である。
【００３４】  図１９は四角形を前後に長く伸ばした菱形を基本とする防護壁３５２についての実施形態を示す。３５３は登降口、３５４は登降手段、３５５は避難場所である。この避難用施設物は津波流Ｘの作用を弱めるとともにそれに対する抵抗力が強く、しかも、避難者数を多くとれるものである。尚、３５６はＶ形あるいは半丸形の前・後振り分け防護ガイドを示す。
【００３５】  図２０および図２１は基本的に四角形をし先端が半丸筒状で抵抗のないような形にした防護壁３５８を示す。３５９は登降口、３６０は登降手段、３６１は避難場所である。登降手段３６０は巾間中央であるが左右いずれか双方に配置してもよい。
また、仮想線で示すように、半丸筒状部分は後部にも築造して全体として長円形状の防護壁３５８とし、戻り流にも対抗できるようにしてもよい。この場合、一側後方から登降してラセン状の経路で中央の避難場所に登り得るように構成することもできる。
【００３６】  図１９および図２０の実施形態は、土砂や岩塊（塊体入りネットも含む）あるいはコンクリート製で可能なピラミッド形人工丘陵３６４とこれに関連して組み合わされた避難ステージ３６５とでなる避難用施設物（ピラミッドステージと称することもある）を示す。
【００３７】  ピラミッド形人工丘陵３６４は、四角錐形であるが三角錐や六角錐などの他の多角錐形でもよい。同人工丘陵３６４はその１つの稜線が津波流Ｘと戻り流Ｙの方向に向いてこれらの流れを切り分けるように設置されているとともに、その錐面を登降手段としてのスロープとして利用したり全周を階段状にして登降手段にしてもよい。ここでは錐面をスロープとして利用できるとともに錐面中央に縦向きに設けられた階段３６６により登降できるようになっている。こうしたピラミッド形人工丘陵３６４のみで避難用施設物を構成することもできる。
【００３８】  避難ステージ３６５は、四角な平坦基板と外周の手すりを備えたもので、人工丘陵３６４と同心状をなして配置されるとともに、人工丘陵３６４の周縁に対応して打設された鋼矢板２００…などによるガード支柱３６８…により支承されて固定されている。その高さはピラミッドの頂点より少し低いところにあり、特に、同ステージ３６５の中央には四角な開口Ｐが明けられて人工丘陵３６４にその縁部が略接触する程度にされているとともに、開口３６９の各辺中央位置には階段３６６から避難ステージ３６５上に転回しながら乗り移ることができるように登り口Ｑを切欠状に形成してある。
尚、図１９の右欄のように、人工丘陵３６４の頂部より少し下がった高さの外周に断面Ｌ形のような段差ａを備えて階段３６６を登ったあとこの段差ａを通じて避難ステージ３６５上に避難できるように構成してもよい。
また、図２０の右欄のように、人工丘陵３６４の頂部ｂのみを四角錐状の屋根として支えて同頂部ｂとその下部の人工丘陵３６４間に避難ステージｃを形成してもよい。この場合、避難ステージｃの広さをさらに確保するため、避難ステージｃの周りに、支柱ｄで支持された外周ステージｅを備えてもよい。
【００３９】  図２１の実施形態は、鋼矢板の打設などにより丸胴状あるいは楕円胴状、角胴状など各種形状を採用できる防護壁３６８の内部に高い避難場所３６９を造成し、その後部を切欠状に残しておいてその個所を通じて後方地盤から高い避難場所３６９の中央まで登降することのできる扇階段（あるいはスロープ）３７０をできるだけ緩やかな傾斜をもって形成したものである。階段３７０は土砂やコンクリートなどいずれで造成してもよい。階段３７０は脇流をも発生させながら戻り流を登りにくくする。
【００４０】  図２２の実施形態は、ラセン状避難用施設物Ｅ，Ｅを左右一対配し、登降口３７３，３７３を共に後に向けて津波流Ｘの影響を受け難くするとともに、前方には、避難用施設物Ｅ，Ｅにダイレクトに津波流Ｘが当らないようにＶ字あるいは右欄の丸湾曲状のプロテクト３７４を予備緩衝ガイドを発揮するものとして設置してなる。プロテクト３７４は鋼矢板などの打設により築造することができる。
尚、上記各種実施形態は、対津波以外に津波避難訓練用、洪水、高潮等の水害避難用、その他町内会合や盆踊り用にも利用可能であることは言うまでもない。また、近隣の人（自治体が一部あるいは全部出費する場合も含む）が築造する場合の他、個人が住居として築造することもできる。
【００４１】  図２３および図２４は、鋼矢板や鋼管矢板、木材（組単位ａのものも含む）、コンクリートパイルなどのいずれかあるいは複数組み合わせにより図示のようなラセン配列に添って地盤内から立ち上げて施設本体（防護壁）４６０を築造し、その津波Ｘに対する後方側底部を通じて後方外部とラセン内底とを連絡して避難者を導くボックスカルバートなどの連通路４６１を挿通固定するとともに、前記内底からラセンに添って登ることのできる階段（スロープあるいは階段とスロープ併設型でもよい）４６２を設け、さらに右回りに登る傾斜をなしてスロープ（階段、あるいは階段とスロープ併設型でもよい）４６３を形成したものである。この場合、スロープ４６３自体が長く広い避難場所になるが別途避難ステージを設けてもよい。例えば、スロープ４６３に続けてステージ上に登れる登降手段付きのステージとして構成することができる。尚、右下欄は、施設本体の構成例として、コンクリートパイルなどの内列材４６４…を周方向に間隔をおいて立設し、それらの間の前側に鋼管や木材などの外列材４６５…を併設して緩衝作用のある施設本体と構成したものである。
【００４２】  図２５と図２６は防護壁４６８の築造方法の２例を示すもので、図２５の実施形態は、本体内部重量で傾倒が略完全に防止されることも考慮して、防護壁４６８を地盤４６９内に図２４よりも少し浅く埋め込んだ（打設も可能）もので、その中心には後打設あるいは本体４６８の施工前の埋め込みにより支柱４７０を受担材として設けるようにしてよく、この場合、その上に避難ステージ４７１を設置して支柱４７０まわりのラセン階段で登降できるようにすることができる。
【００４３】  図２６の実施形態は、鋼矢板や鋼管矢板その他でなる防護壁４６８を地盤４６９上に載置してなるもので、この場合も本体内部重量で傾倒が略完全に阻止され得ることを考慮して施工の簡略化を図ったものである。特に、この場合は、複数基の本体４６８を相互連結する方式により傾倒などを防止することができる。
【００４４】  尚、本体４６８は周位置において牽きワイヤ４７２…を上下複数にわたって配すことでより安定度は向上する。この牽きワイヤ４７２は、左欄のように登降手段４７３としてもよい。また、右欄上に示すように、本体４６８の基部の通孔４７４を通じて内から外地盤へあるいは外から内地盤へ向けてアンカー４７５を複数本打ち込んでもよい。さらに、その下図のように、本体４６８の基部外周コーナーには、コンクリートなどによる防護部４７６を付加して補強してもよい。この場合、仮想線のように断面形状は四角以外に三角形でもよい。
【００４５】  図２７および図２８は、鋼矢板である防護壁４８０を打設あるいは地盤上設置式で設けるに当り、予め設定ラインの外側に添うライン上に周方向に離間して外止部材４８１を深く打設あるいは埋込式に立設しておき、その内周側に添って防護壁４８０…を打設あるいは地盤上設置式で配備してなる。防護壁４８０は外止部材４８１側に連結固定してもよい。防護壁４８０は、右上欄のような鋼管４８２であってもよい。このように構成しておくことで、外止部材４８１が防護壁４８０の外倒れを防止するだけでなく津波から防護壁４８０を守るものである。防護壁４８０内には、土砂などでスロープなどの登降手段や避難場所を設ける。
尚、図２８に仮想線で示すように、外止部材４８１を高く伸ばし、避難ステージ４８３の支えを兼用することもできる。
【００４６】  尚、図２７の右方に示すように、コンクリート製のラセン状避難用施設４８５を築造してその内端側が低く外周側が次第に高くなった登降・避難手段兼用型のスロープ４８６を構築してもよい。この場合、ラセン溝４８７が避難通路になっている。
【００４７】  図２９は、防護壁を構成する例えば、鋼矢板４９０…のうちの１本が上方に少し高く突出するものとされ、その突出部分が避難ステージ（図示省略）の支えを兼ねるようにした例である。これら鋼矢板４９０相互間はワイヤーロープ４９１で連結してもよい。
前記鋼矢板４９０は鋼管矢板であることもある。
【００４８】  図３０は、同心状に矢板４９４…を打設して防護壁４９５を構築して内部に登降手段４９６と避難場所４９７を構成する場合に、その入口４９８を矢板４９４の相互連結により造るようにしたもので、右欄のように、かなり短い矢板４９４′を隣合う長い矢板４９４間に係合しながら降ろし、適宜高さで止めて相互溶接により一体化することで矢板４９４′と地盤との間に入口４９８を形成するようにしたものである。
尚、左欄に示すように、入口４９８の下側も短い矢板４９４′を先立って打設しておいて、隣合う４９８との連結関係を強化するようにしてもよい。
また、長い矢板４９４…で全てを構築しておいてのちに、溶断により入口４９８を開設してもよい。
【００４９】  図３１は、ラセン状防護壁５００に登降手段５０１および避難場所５０２を構成したものにおいて、その避難場所５０２の底側全体に水備蓄タンク５０３を装填式に設けて蓋５０４を開けることで適宜に給水補充可能にしてある一方、内部の水は、登降手段５０１の底側に埋め込んだ浄化タンク５０５内で浄化処理可能で浄化後の水を水備蓄タンク５０３内に常時（あるいは定期的に）循環させて戻すようにしたものである。５０６は吸上ポンプ、５０７はメンテナンス可能な浄化要素、５０８は攪拌曝気装置である。前記備蓄された水は、非常時用として津波・洪水など以外に消火水としても活用できる。タンク５０３を装填すると、その対応空間に土砂などを投入する施工が省略される。
【００５０】  尚、防護壁５１１の上に水備蓄タンク５１２を設置してもよい。その上が避難ステージ５１３となっている。同タンク５１２と前記タンク５０３とを併設してもよい。図３１の右下欄は、同心型防護壁５１５の避難場所５１６底側に水備蓄タンク５１７を装填したものである。５１８は登降手段である。
【００５１】  図３２は、ラセン型防護壁５２１にスロープなどの登降手段５２２を設けたものにおいて、その中心スペースにタンク５２３を装填し、同タンク５２３内を避難空間としたものである。同タンク５２３の下層部分を水備蓄タンクにしてもよい。
以上実施形態においては避難施設が多人数用の大口径のものについて説明したが、例えば、家庭向けあるいは近隣限定向けのものとして、口径の小さい２ｍ乃至５ｍ程度のものについても同様にして実施することができる。
尚、ラセン形防護壁（あるいは同心形防護壁）５２１は、図３２の左下図のようなラセン巻鋼板で一体成形したものを現場搬入して設置したり、上下に分割したラセン巻鋼板ａ、ａ、ａを搬入して現場で溶接や連結して１本のラセン胴体に形成するようにしてもよい。また、その右図のように、Ｈ形鋼・矢板などの打ち込みアンカー５２５…をラセンライン上に打設しておいてその間を介して上から分割板ｂ…を挿填し、あとは溶接や連結などにより全体をタンク状に形成するようにしてもよい。
【００５２】  図３３は、Ｕ形鋼矢板５３０…や直線形鋼矢板などを打設して周方向に連結して防護壁５３１を形成することによりラセンや同心状にし内部に避難場所を形成するようにしたものにおいて、その津波が襲来してくる側の前面には、鋼矢板５３０の溝ａや凸面ｂに添って津波が這い上がって上方から内部の避難場所や登降手段に多量に飛来してくるおそれがあり、避難する意味が損なわれる。そのことから、同図のように、上昇流を前方へと返すようにしたものである。
【００５３】  凸面ｂ…の津波が襲来する高さより上側には、縦向きに分流化部材５３３…を止め付けてある。この分流化部材５３３は、横断面が半丸形や右下欄のＶ形にしたもので、この部材５３３により津波流は矢印のように左右に分かれて溝ａ…の方向に導かれるようになっている。左下図のようにＶ形を図示向きにして凸面ｂ上に取り付けてもよい。
【００５４】  ５３５は転回ガイド板で、鋼板や樹脂板（ポリカ・ＦＲＰ板など）で作られ、溝ａ…内に上昇してくる津波流をまとめて図示矢印のように前方へ転回させるものである。この転回ガイド板５３５は、溝ａの前面に当て付けられる基板部５３６と、同基板部５３６から斜め上方前向きに傾斜して伸びるガイド板部５３７とでなり、ガイド板部５３７は、溝ａの全体を斜行するとともに同溝ａを有する鋼矢板５３０に隣合う鋼矢板５３０の斜面にも斜行する脇突起部５３８を備える。
尚、転回ガイド板５３５の隣合うもの同士を仮想線で示す連結ガイド板５３９で凸面ｂに当るように連結して矢印のように上昇してくる津波流を前上方に転回させるようにしてもよい。この連結ガイド板５３９を装備する場合、前記分流化部材５３３…は設けないこともある。
また、転回ガイド板５３５は、仮想線のように、鋼矢板５３０の上端に配置してもよい。
さらに、前記分流化部材５３３や転回ガイド板５３５などを設ける角度範囲は、右上欄に示すように９０°のθ１や１２０°のθ２とすることができる。同例ではラセンの避難施設について示すが同心型のものにも適用される。
また、図の上欄に示すように、Ｕ形鋼矢板５３０の数倍の連結幅ＷをもつＵ形鋼矢板（ジャンボ鋼矢板）５４１で防護壁を構成することもできる。この場合、補強リブ５４２を付すことがある。
さらに、直線形鋼矢板５４３も同様に幅広形にしたものを示す。この鋼矢板５４３は一端に挿通ロッド５４４を備え、他端に同ロッド５４４が通される筒部５４５を備え、補強リブ５４６を付加してもよい。
また、ガイド板部５３７は、図３５のような湾曲状にしてもよい。
【００５５】  図３４は、Ｕ形鋼矢板５４９…の多数枚を連設して周状防護壁５５０を形成してなるものにおいて、その前向きの溝ａの上部内に楔形をした転回ガイド部材５５１を備え付けて這い上がる津波流が前向きに転回して避難空間側へ飛び込まないようにしたものである。同ガイド部材５５１は、図示しない止着具で取り付ける場合と、図示のように防護壁５５０の周囲に緊締されるワイヤーロープ５５２と溝ａ間を利用して打設するようにしいてもよい。この場合、ねじ孔５５３…を多数設けておいて抜止具５５４により転回ガイド部材５５１がワイヤーロープ５５２に引っ掛かることで抜けないように構成することができる。
【００５６】  尚、転回ガイド部材５５１の表に横溝を段階状に形成してワイヤーロープ５５２に係合するようにしてもよい。
同転回ガイド部材５５１は鋼板を折り曲げて形成されているが、木質あるいは樹脂製の楔形をしたものでもよい。
また、実線の転回ガイド部材５５１に代えて、仮想線で示すように、差込舌片５５６を２葉備えた楔形の転回ガイド部材５５７を溝ａが前向きの鋼矢板５４９の上端に挿し込み固定するようにしてもよい。この転回ガイド部材５５７は、凸面ｂを前向きにした鋼矢板５４９にも取り付けてもよい。凸面ｂの転回ガイド部材５５７と実線の転回ガイド部材５４９とを組み合わせることもできる。
前記楔を打ち込む方式は、木材をワイヤーロープで束ねて防護壁を築造するものにおいても同ワイヤーロープを利用して打設するようにして適用できる。
【００５７】  図３５は、Ｕ形鋼矢板５６０…の多数枚を連設して周状防護壁５６１を形成してなるものにおいて、離間して隣合う関係の鋼矢板５６０，５６０間に跨るような幅の広い転回ガイド部材５６２を前向き湾曲状のものとして取り付け固定したものを示す。この転回ガイド部材５６２の湾曲した面は、溝ａを前向きにした鋼矢板５６０は勿論、凸面ｂを前向きにした鋼矢板５６０を這い上がってきた津波流をも捉えて前方へ転回させて戻すように機能する。この転回ガイド部材５６２は、周方向に互いに接近するようにして連設してある。材質は鋼板、樹脂板などいずれでもよい。凸面ｂを前向きとする鋼矢板５６０の裏側の溝からは、津波流による吸引作用でエアーが噴出する。
【００５８】  尚、右上欄のように、転回ガイド部材５６２の両脇にリブ５６３を付加してもよい。そのリブ数は２つに限定されない。
また、右下欄のように、リブ５６５を幅間に設けた転回ガイド部材５６６としてもよい。
【００５９】  図３６は、ラセン形避難用施設物の浮敷型登降手段５８６の登り端部をラセンの端部開口５８７に合致させずにラセン方向外部にずらせたものである。これにより、矢印のように戻り流Ｙが登降手段５８６上に押し寄せることがなくラセン内空間で吸収する。この場合、ラセンの前側にＹ流のみにより前方へ開く逆止扉（図示省略）を装備しておいて前方へ抜け出るように構成してもよい。
【００６０】  尚、右欄のように、登降手段５８８をラセン端部に合わせた場合には、同手段５８８をグレーチングやメッシュ部材などを使用して戻り流Ｙがラセン内に抜けるように構成することもできる。
趣旨は具なるが、矢印Ｙのように登降可能な下階の登降手段を実線の上階の登降手段と併設することもできる。
【図面の簡単な説明】
【００６１】
【図１】他の実施形態を示す図２の平面図。
【図２】図１のＡ矢視である背面図。
【図３】図１、図２の実施形態の避難用施設物の斜視図。
【図４】図３の登降手段の部分を示す縦断面図。
【図５】他の登降手段を示す断面図。
【図６】他の実施形態を示す避難用施設物の模式平面図。
【図７】他の実施形態を示す避難用施設物の模式平面図。
【図８】他の実施形態を示す避難用施設物の模式平面図。
【図９】他の実施形態を示す避難用施設物の模式平面図。
【図１０】他の実施形態を示す避難用施設物の模式平面図。
【図１１】図１０のＤ−Ｄ線側断面図。
【図１２】他の実施形態を示す左側面図。
【図１３】登降手段の他の実施形態を示す斜視図。
【図１４】丘や山への避難用施設物を示す図１４の側面図。
【図１５】図１４の平面図。
【図１６】他の実施形態を示す模式平面図。
【図１７】他の実施形態を示す模式平面図。
【図１８】他の実施形態を示す模式平面図。
【図１９】他の実施形態を示す模式平面図。
【図２０】他の実施形態を示す模式平面図。
【図２１】図２０の左側面図。
【図２２】他の実施形態を示す模式平面図。
【図２３】他の実施形態を示す平面図。
【図２４】図２３の側面図。
【図２５】他の実施形態を示す側面図。
【図２６】他の実施形態を示す側面図。
【図２７】他の実施形態を示す平面図。
【図２８】図２７の側面図。
【図２９】他の実施形態を示す斜視図。
【図３０】他の実施形態を示す斜視図。
【図３１】他の実施形態を示す半断面斜視図。
【図３２】他の実施形態を示す縦断面図。
【図３３】他の実施形態を示す斜視図。
【図３４】他の実施形態を示す斜視図。
【図３５】他の実施形態を示す斜視図。
【図３６】他の実施形態を示す斜視図。
【符号の説明】
【００６２】  ２００…鋼矢板  ２０１…防護壁  ２０２…地盤  ２０６…スロープ（登降手段）  ２１０…避難用スペース（避難場所）。
【図１】
2007297909.tif 000003
【図２】
2007297909.tif 000004
【図３】
2007297909.tif 000005
【図４】
2007297909.tif 000006
【図５】
2007297909.tif 000007
【図６】
2007297909.tif 000008
【図７】
2007297909.tif 000009
【図８】
2007297909.tif 000010
【図９】
2007297909.tif 000011
【図１０】
2007297909.tif 000012
【図１１】
2007297909.tif 000013
【図１２】
2007297909.tif 000014
【図１３】
2007297909.tif 000015
【図１４】
2007297909.tif 000016
【図１５】
2007297909.tif 000017
【図１６】
2007297909.tif 000018
【図１７】
2007297909.tif 000019
【図１８】
2007297909.tif 000020
【図１９】
2007297909.tif 000021
【図２０】
2007297909.tif 000022
【図２１】
2007297909.tif 000023
【図２２】
2007297909.tif 000024
【図２３】
2007297909.tif 000025
【図２４】
2007297909.tif 000026
【図２５】
2007297909.tif 000027
【図２６】
2007297909.tif 000028
【図２７】
2007297909.tif 000029
【図２８】
2007297909.tif 000030
【図２９】
2007297909.tif 000031
【図３０】
2007297909.tif 000032
【図３１】
2007297909.tif 000033
【図３２】
2007297909.tif 000034
【図３３】
2007297909.tif 000035
【図３４】
2007297909.tif 000036
【図３５】
2007297909.tif 000037
【図３６】
2007297909.tif 000038